(57)【要約】【課題】光送信機内のモニタフォトダイオードを削減しつつ、発光素子の出力を制御可能な光送受信機システムを提供する。【解決手段】光送受信システム１００であって、光ファイバ５１と、金属線５２と、光送信機１０と、光受信機２０と、を備える。光送信機１０は、入力端子３０と、発光素子１５と、電流制御部１７と、を備える。光受信機２０は、受光素子２４と、出力端子８０と、受光レベル検出部２５と、を備える。受光レベル検出部２５は、受光素子によって変換された高周波信号の平均レベルを検出し、検出した平均レベルを示すレベル信号を金属線５２を介して光送信機１０へ送信する。電流制御部１７は、受光レベル検出部２５から送信されたレベル信号に基づいて、光信号の強度の平均レベルが所定値になるようにバイアス電流を制御する。【選択図】図１
2020077987.tif 000002
【特許請求の範囲】
【請求項１】
光信号を伝送する光ファイバと、
電気信号を伝送する金属線と、
前記光ファイバ及び前記金属線のそれぞれの２つの端部のうちの一方の端部に接続された光送信機と、
前記光ファイバ及び前記金属線のそれぞれの２つの端部のうちの他方の端部に接続された光受信機と、を備え、
前記光送信機は、
外部から電気信号である高周波信号が入力される入力端子と、
バイアス電流を生成する電流制御部と、
前記電流制御部により生成された前記バイアス電流の供給を受け、前記バイアス電流に応じた平均レベルで且つ前記入力端子に入力された前記高周波信号に応じて調整された強度の前記光信号を前記光ファイバへ出力する発光素子と、を備え、
前記光受信機は、
前記光ファイバを介して伝送された前記光信号を受光し、受光した前記光信号をその強度に応じた電気信号である高周波信号に変換する受光素子と、
前記受光素子によって変換された前記高周波信号を外部へ出力する出力端子と、
前記受光素子によって変換された前記高周波信号の平均レベルを検出し、検出した平均レベルを示すレベル信号を前記金属線を介して前記光送信機へ送信する受光レベル検出部と、を備え、
前記電流制御部は、前記受光レベル検出部から送信された前記レベル信号に基づいて、前記光信号の強度の平均レベルが所定値になるように、生成する前記バイアス電流を制御する、
光送受信システム。
【請求項２】
前記電流制御部は、前記光ファイバの伝送損失を考慮して、前記レベル信号に基づいて前記発光素子から出力される前記光信号の強度の平均レベルを推定し、推定した前記平均レベルが一定となるように前記バイアス電流を制御する、出力制御モードを実行する、
請求項１に記載の光送受信システム。
【請求項３】
前記電流制御部は、前記レベル信号に基づいて、前記受光レベル検出部によって検出される前記平均レベルが一定となるように前記バイアス電流を制御する、受光制御モードを実行する、
請求項１又は２に記載の光送受信システム。
【請求項４】
前記電流制御部は、前記光ファイバの伝送損失を考慮して、前記レベル信号に基づいて前記発光素子から出力される前記光信号の強度の平均レベルを推定し、推定した前記平均レベルが一定となるように前記バイアス電流を制御する出力制御モード、及び前記受光制御モードのいずれかを選択して実行する、
請求項３に記載の光送受信システム。
【請求項５】
前記光送信機は、
前記出力制御モードにおいて、前記電流制御部によって推定される前記平均レベルが一定とならない場合に、前記発光素子のメンテナンスを促す警告を出力する出力部を備える、
請求項２又は４に記載の光送受信システム。
【請求項６】
前記光送信機は、
前記受光制御モードにおいて、前記受光レベル検出部によって検出される前記平均レベルが一定とならない場合に、前記発光素子のメンテナンスを促す警告を出力する出力部を備える、
請求項３又は４に記載の光送受信システム。
【請求項７】
前記光送信機は、
ユーザが前記光ファイバの伝送損失を設定するための損失設定部を備える、
請求項１〜６のいずれか１項に記載の光送受信システム。
【請求項８】
前記電流制御部は、電流回路と可変抵抗器とを備え、
前記電流回路は、前記発光素子に接続される回路出力端子と、前記金属線に接続される回路入力端子と、を備え、
前記可変抵抗器は、前記回路入力端子に接続されている、
請求項１〜７のいずれか１項に記載の光送受信システム。
【請求項９】
前記光ファイバ及び前記金属線は、一本の光ケーブルに収納されている、
請求項１〜８のいずれか１項に記載の光送受信システム。
【請求項１０】
前記光受信機は、
前記受光レベル検出部により送信された前記レベル信号を増幅する増幅部と、
前記電流制御部に供給する電源を、前記増幅部により増幅された前記レベル信号に重畳して、前記金属線を介して前記光送信機へ送信する重畳部と、を備える、
請求項１〜９のいずれか１項に記載の光送受信システム。
【発明の詳細な説明】
【技術分野】
【０００１】
本開示は、テレビ信号等の送受信に用いる光送受信システムに関する。
【背景技術】
【０００２】
近年、テレビ放送では、いわゆる４Ｋ、８Ｋと呼ばれる、より高画質の放送が検討されている。４Ｋや８Ｋの高画質の放送では、テレビ信号が広帯域化する。広帯域の信号の伝送には、同軸ケーブルよりも広帯域の伝送が可能な光ファイバが適している。そのため、高画質の放送に伴い、テレビ信号を光信号に変換し、変換した光信号を光ファイバを介して伝送することが考えられる。テレビ信号から光信号への変換には発光素子が用いられるが、一般に、発光素子の電気／光交換率は、経年劣化によって低下する。
【０００３】
特許文献１に記載の光送信機は、発光素子のモジュール内に、発光素子の光出力パワーを検出するためのモニタフォトダイオードを設けている。そして、特許文献１に記載の光送信機は、モニタフォトダイオードの検出結果を用いて、発光素子に供給するバイアス電流のレベルを調整することによって、発光素子の出力パワーの変動を抑制している。
【先行技術文献】
【特許文献】
【０００４】
【特許文献１】国際公開第０２／０６９４６４号
【発明の概要】
【発明が解決しようとする課題】
【０００５】
特許文献１に記載の光送信機は、発光素子のモジュール内にモニタフォトダイオードを設けるため、部品点数や光送信機の体格、コストが増大するという問題がある。
本開示は、光送信機内のモニタフォトダイオードを削減しつつ、発光素子から出力される光信号の平均レベルを制御可能な光送受信機システムを提供することを目的とする。
【課題を解決するための手段】
【０００６】
請求項１に記載の発明は、光送受信システムであって、光ファイバと、金属線と、光送信機と、光受信機と、を備える。光ファイバは、光信号を伝送する。金属線は、電気信号を伝送する。光送信機は、光ファイバ及び金属線のそれぞれの２つの端部のうちの一方の端部に接続される。光受信機は、光ファイバ及び金属線のそれぞれの２つの端部のうちの他方の端部に接続される。光送信機は、入力端子と、電流制御部と、発光素子と、を備える。入力端子は、外部から電気信号である高周波信号が入力される。電流制御部は、バイアス電流を生成する。発光素子は、電流制御部により生成されたバイアス電流の供給を受け、前記バイアス電流に応じた平均レベルで且つ前記入力端子に入力された高周波信号に応じて調整された強度の光信号を光ファイバへ出力する。光受信機は、受光素子と、出力端子と、受光レベル検出部と、を備える。受光素子は、光ファイバを介して伝送された光信号を受光し、受光した光信号をその強度に応じた電気信号である高周波信号に変換する。出力端子は、受光素子によって変換された高周波信号を外部へ出力する。受光レベル検出部は、受光素子によって変換された高周波信号の平均レベルを検出し、検出した平均レベルを示すレベル信号を金属線を介して光送信機へ送信する。そして、電流制御部は、受光レベル検出部から送信されたレベル信号に基づいて、前記光信号の強度の平均レベルが所定値になるように、生成するバイアス電流を制御する。
【０００７】
請求項１に記載の発明によれば、光受信機は、受光素子によって変換された高周波信号の平均レベルを検出し、検出した平均レベルを示すレベル信号を光送信機へ送信する。そして、光送信機は、光受信機から送信されたレベル信号に基づいて、光信号の強度の平均レベルが所定値になるように、発光素子に供給するバイアス電流を制御する。したがって、光送信機内のモニタフォトダイオードを削除しつつ、発光素子から出力される光信号の平均強度レベルを制御することができる。
【０００８】
請求項２に記載の発明では、電流制御部は、光ファイバの伝送損失を考慮して、レベル信号に基づいて発光素子から出力される光信号の強度の平均レベルを推定し、推定した平均レベルが一定となるようにバイアス電流を制御する、出力制御モードを実行してもよい。
【０００９】
請求項２に記載の発明によれば、光ファイバの伝送損失を考慮して、レベル信号に基づいて発光素子から出力される光信号の強度の平均レベルを推定し、推定した平均レベルを一定にすることができる。ひいては、発光素子の寿命が来て、発光素子から出力される光信号の強度の平均レベルを一定にすることができなくなった場合に、寿命が来た時期を精度良く判別することができる。
【００１０】
請求項３に記載の発明では、電流制御部は、レベル信号に基づいて、受光レベル検出部によって検出される平均レベルが一定となるようにバイアス電流を制御する、受光制御モードを実行してもよい。
【００１１】
請求項３に記載の発明によれば、経年劣化により、発光素子の電気／光変換効率が低下した場合に、レベル信号に基づいて、発光素子により受光される光信号の強度の平均レベルを一定に維持することができる。ひいては、発光素子により変換された電気信号のキャリアノイズ比を維持することができる。
【００１２】
請求項４に記載の発明では、電流制御部は、出力制御モード及び受光制御モードのいずれかを選択して実行してもよい。
請求項４に記載の発明によれば、状況に応じて、出力制御モード及び受光制御モードのうちの適切なモードを選択して実行することができる。
【００１３】
請求項５に記載の発明では、光送信機は、出力制御モードにおいて、電流制御部によって推定される平均レベルが一定とならない場合に、発光素子のメンテナンスを促す警告を出力する出力部を備えていてもよい。
【００１４】
請求項５に記載の発明によれば、出力制御モードにおいて推定される平均レベルが一定とならない場合には、発光素子のメンテナンスを促す旨が出力される。これにより、ユーザは発光素子の寿命が来たことを認識することができる。
【００１５】
請求項６に記載の発明では、光送信機は、受光制御において、受光レベル検出部によって検出される平均レベルが一定とならない場合に、発光素子のメンテナンスを促す警告を出力する出力部を備えていてもよい。
【００１６】
請求項６に記載の発明によれば、受光制御モードにおいて検出される平均レベルが一定とならない場合には、発光素子のメンテナンスを促す旨が出力される。これにより、ユーザは発光素子の寿命が来たことを認識することができる。
【００１７】
請求項７に記載の発明では、光送信機は、ユーザが光ファイバの伝送損失を設定するための損失設定部を備えていてもよい。
請求項７に記載の発明によれば、電流制御部は、ユーザによって設定された光ファイバの伝送損失を用いて、発光素子から出力される光信号の強度の平均レベルを推定することができる。
【００１８】
請求項８に記載の発明では、電流制御部は、電流回路と可変抵抗器とを備えていてもよい。電流回路は、回路出力端子と、回路入力端子と、を備えていてもよい。出力端子は、発光素子に接続される。回路入力端子は、金属線に接続される。可変抵抗器は、回路入力端子に接続されている。
【００１９】
請求項８に記載の発明によれば、経年劣化によって受光素子により受光される光信号の強度の平均レベルが低下した場合に、可変抵抗器の抵抗値を増加させることにより、電流回路に印加される電圧が大きくなり、発光素子に供給されるレベル電流が大きくなる。その結果、受光される光信号の強度の平均レベルが上昇し、受光素子に流れる電流が大きくなる。よって、抵抗値を調整して、バイアス電流を変化させることにより、受光素子に流れる電流を一定にすることができる。受光素子に流れる電流は受光される光信号の強度の平均レベルに比例するため、受光素子に流れる電流を一定にすることで、平均レベルを一定にすることができる。
【００２０】
請求項９に記載の発明では、光ファイバ及び金属線は、一本の光ケーブルに収納されていてもよい。
請求項９に記載の発明によれば、光ファイバと金属線が一本の光ケーブルに収納されている。このため、光ファイバと金属線とを個別に配線する場合と比べて、簡易な配線を実現することができる。
【００２１】
請求項１０に記載の発明では、光受信機は、増幅部と、重畳部と、を備えてもよい。増幅部は、受光レベル検出部により送信されたレベル信号を増幅する。重畳部は、電流制御部に供給する電源を、増幅部により増幅されたレベル信号に重畳して、金属線を介して光送信機へ送信する。
【００２２】
請求項１０に記載の発明によれば、光受信機から光送信機へ電源が供給されるため、光送信機に外部電源に接続するコンセント及び電源回路を設けなくてもよい。また、レベル信号を増幅した後に、レベル信号を電源に重畳するため、レベル信号が電源に埋もれることがなく、レベル信号の時間変化を判別することができる。
【図面の簡単な説明】
【００２３】
【図１】第１実施形態に係る光送受信システムの構成を示す図である。
【図２】光送信機の発光部及び電制御部と光受信機の受信部及び受光レベル検出部の構成を示す図である。
【図３】第２実施形態に係る光送受信システムの構成を示す図である。
【図４】光送信機の分離部の構成を示す図である。
【図５】第３実施形態に係る光送受信システムの構成を示す図である。
【図６】光受信機の分離部の構成を示す図である。
【発明を実施するための形態】
【００２４】
以下、図面を参照しながら、発明を実施するための形態を説明する。
（第１実施形態）
＜１−１．構成＞
まず、第１実施形態に係る光送受信システム１００の構成について、図１及び図２を参照して説明する。
【００２５】
光送受信システム１００は、光送信機１０と、光受信機２０と、光ケーブル５０と、を備える。
光送信機１０は、入力端子３０と、第１増幅調整部１１と、発光部１３と、バイアス電流制御部１７と、第１電源６０と、選択スイッチ４０と、損失設定部４３と、出力部４５と、を備える。入力端子３０は、外部から電気信号である高周波信号（以下、ＲＦ信号）が入力される。第１増幅調整部１１は、入力端子３０に入力されたＲＦ信号を増幅して、ＲＦ信号の振幅を調整する。ＲＦ信号は、例えば外部のアンテナで受信されたテレビ信号である。
【００２６】
発光部１３は、混合器１４と発光素子１５とを備える。混合器１４は、コンデンサ１４ａとコイル１４ｂとを備える。コンデンサ１４ａは、第１端及び第２端を有し、第１端がＲＦ信号の入力部に接続されており、第２端がコイル１４ｂ及び発光素子１５に接続されている。コイル１４ｂは、第１端及び第２端を有し、第１端がバイアス電流制御部１７に接続されており、第２端がコンデンサ１４ａ及び発光素子１５に接続されている。よって、混合器１４は、コンデンサ１４ａを介して入力されたＲＦ信号である変調電流と、コイル１４ｂを介してバイアス電流制御部１７から入力されたバイアス電流とを混合して駆動電流を生成し、生成した駆動電流を発光素子１５へ供給する。
【００２７】
発光素子１５は、レーザダイオード又は発光ダイオードによって構成されている。発光素子１５は、駆動電流を光信号に変換し、光信号を光ファイバ５１へ出力する。詳しくは、発光素子１５は、バイアス電流に応じた平均強度で且つＲＦ信号に応じて強度が調整された（すなわち、ＲＦ信号の変化に応じて強度が変化する）光信号を、後述する光ケーブル５０に含まれる光ファイバ５１へ出力する。光信号の波長は、発光素子１５の材料等によって予め決められている。以下では、発光素子１５から出力される光信号を発光信号とも称する。
【００２８】
バイアス電流制御部１７は、定電流ＩＣ１８と、可変抵抗器１６ａと、抵抗器１６ｂと、を備える。定電流ＩＣ１８は、回路入力端子１８ｂがコイル１４ｂに接続されており、回路出力端子１８ａが後述する金属線５２に接続されている。可変抵抗器１６ａは、第１端及び第２端を有し、第１端が回路入力端子１８ｂに接続されており、第２端が抵抗器１６ｂに接続されている。また、抵抗器１６ｂは、第１端及び第２端を有し、第１端が可変抵抗器１６ａに接続されており、第２端が接地されている。
【００２９】
定電流ＩＣ１８は、接続点Ｐの電位に応じたバイアス電流を混合器１４へ供給する。接続点Ｐは、可変抵抗器１６ａの第１端と回路入力端子１８ｂとの接続点である。すなわち、定電流ＩＣ１８が供給するバイアス電流の大きさは、可変抵抗器１６ａの抵抗値に応じて変化する。
【００３０】
第１電源６０は、コンセントを介して１００Ｖの交流電源に接続される。第１電源６０は、１００Ｖの交流電源から所定電圧の直流電源を生成し、生成した直流電源を第１増幅調整部１１及びバイアス電流制御部１７へ供給する。
【００３１】
選択スイッチ４０は、ユーザが、出力制御モード及び受光制御モードのいずれかを選択するためのスイッチである。出力制御モード及び受光制御モードについては後述する。損失設定部４３は、出力制御モードにおいて、ユーザが光ファイバ５１の伝送損失を設定するためのダイヤルなどである。ユーザは、使用する光ファイバ５１の決まっている伝送損失を設定する。
【００３２】
出力部４５は、発光素子１５の寿命が来たと判断した場合に、発光素子１５のメンテナンスを促す旨を出力する。出力部４５は、出力制御モードにおいて、発光素子１５から出力される光信号の強度の平均レベルが一定にならない場合、又は、受光制御モードにおいて、受光素子２４により受光される光信号の強度の平均レベルが一定とならない場合に、発光素子１５の寿命が来たと判断する。
【００３３】
光受信機２０は、受光部２３と、第２増幅調整部２１と、受光レベル検出部２５と、第２電源７０と、出力端子８０と、を備える。受光部２３は、受光素子２４を備える。受光素子２４は、フォトダイオードにより構成されており、光ファイバ５１を介して伝送された光信号を受光し、受光した光信号をその強度に応じた電気信号（具体的には電流）に変換する。変換された電気信号は、直流成分と高周波成分とを含む高周波信号である。直流成分は、受光された光信号の強度の平均レベルに対応した大きさの直流電流である。高周波成分は、受光された光信号の強度の変化に応じて振幅が変化する電流である。以下では、受光素子２４により受光された光信号を受光信号とも称する。
【００３４】
第２増幅調整部２１は、受光素子２４により変換された電気信号の高周波成分（すなわち変調電流）を取り出して増幅する。増幅された変調電流はＲＦ信号に相当する。
出力端子８０は、第２増幅調整部２１により増幅されて振幅を調整されたＲＦ信号を外部へ出力する。出力されたＲＦ信号は、テレビ等へ入力される。
【００３５】
受光レベル検出部２５は、検出コイル２６を備えて構成されており、受光信号の強度の平均レベルを検出し、検出した平均レベルを示すレベル信号を、金属線５２を介してバイアス電流制御部１７へ送信する。詳しくは、受光レベル検出部２５は、検出コイル２６によって、受光素子２４により変換された電気信号の直流成分（すなわち直流電流）を取り出す。取り出した直流電流の大きさが受光信号の強度の平均レベルに相当し、直流電流がレベル信号に相当する。
【００３６】
第２電源７０は、コンセントを介して１００Ｖの交流電源に接続される。第２電源７０は、１００Ｖの交流電源から所定電圧の直流電源を生成し、生成した直流電源を第２増幅調整部２１へ供給する。
【００３７】
光ケーブル５０は、光ファイバ５１と金属線５２とを備える。光ケーブル５０は、光ファイバ５１と金属線５２とを、樹脂製の被覆材によって覆って構成されている。光ケーブル５０は、発光素子１５と受光素子２４とを接続し、発光素子１５によって出力された光信号を受光素子２４へ伝送する。金属線５２は、検出コイル２６と定電流ＩＣ１８とを接続し、検出コイル２６から定電流ＩＣ１８へレベル信号を伝送する。
【００３８】
＜１−２．動作＞
バイアス電流制御部１７は、ユーザによる選択スイッチ４０の操作に応じて、出力制御モード及び受光制御モードのいずれかを選択して実行する。
【００３９】
出力制御モードは、光ファイバ５１の伝送損失を考慮して、受信したレベル信号に基づいて、発光信号の強度の平均レベルを推定し、推定した発光信号の強度の平均レベルが一定となるようにバイアス電流を制御するモードである。
【００４０】
光ファイバ５１の伝送損失は、ユーザにより損失設定部４３から設定される。ユーザは、テレビが受信するＲＦ信号の強度が低下した場合には、経年劣化により光ファイバ５１の伝送損失が大きくなったと判断して、初期に設定した伝送損失よりも大きな値に設定しなおしてもよい。
【００４１】
バイアス電流制御部１７は、ユーザにより設定された損失が大きくなると、可変抵抗器１６ａの抵抗値を大きくして、接続点Ｐの電位を上げる。これにより、定電流ＩＣ１８から出力されるバイアス電流が大きくなり、損失の増加分が補われて、発光信号の強度の平均レベルが所定値に維持される。
【００４２】
一方、受光制御モードは、レベル信号に基づいて、受光信号の強度の平均レベルが一定となるように、バイアス電流を制御するモードである。経年劣化により、発光素子１５の電気／光交換率が低下すると、受光信号の強度の平均レベルが低下する。バイアス電流制御部１７は、受光信号の強度の平均レベルが低下した場合に、可変抵抗器１６ａの抵抗値を大きくして、定電流ＩＣ１８から出力されるバイアス電流を大きくし、受光信号の強度の平均レベルを上げる。これにより、受光信号の強度の平均レベルが所定値に維持される。
【００４３】
しかしながら、発光素子１５の寿命が来ると、出力制御モードにおいて発光信号の強度の平均レベルを所定値に維持できなくなる。また、発光素子１５に寿命が来ると、受光制御モードにおいて受光信号の強度の平均レベルを所定値に維持できなくなる。よって、出力部４５は、出力制御モードにおいて発光信号の強度の平均レベルが所定値に維持されなくなった場合、及び、受光制御モードにおいて受光信号の強度の平均レベルが所定値に維持されなくなった場合に、発光素子１５のメンテナンスを促す警告を出力する。具体的には、出力部４５は、点灯又は点滅することによって警告を出力するインジケータでもよいし、音を出力することによって警告を出力するブザーでもよい。
【００４４】
＜１−３．効果＞
以上説明した第１実施形態によれば、以下の効果が得られる。
（１）光受信機２０は、受光素子２４によって受光された光信号の強度の平均レベルを検出し、検出した平均レベルを示すレベル信号を光送信機１０へ送信する。そして、光送信機１０は、光受信機２０から送信されたレベル信号に基づいて、発光素子１５に供給するバイアス電流を制御する。したがって、光送信機１０内のモニタフォトダイオードを削除しつつ、発光素子１５の出力を制御することができる。
【００４５】
（２）出力制御モードでは、光ファイバ５１の伝送損失を考慮して、レベル信号に基づいて発光信号の強度の平均レベルを推定し、推定した平均レベルを一定にすることができる。ひいては、発光素子１５の寿命が来て発光信号の強度の平均レベルを一定にすることができなくなった場合に、寿命が来た時期を精度良く判別することができる。
【００４６】
（３）受光制御モードでは、経年劣化により発光素子１５の電気／光変換効率が低下した場合に、レベル信号に基づいて、受光信号の強度の平均レベルを一定に維持することができる。ひいては、発光素子１５により変換された電気信号のキャリアノイズ比を維持することができる。
【００４７】
（４）ユーザは、状況に応じて、出力制御モード及び受光制御モードのうちの適切なモードを選択することができる。
（５）出力制御モードにおいて発光信号の強度の平均レベルが一定とならない場合、及び受光制御モードにおいて受光信号の強度の平均レベルが一定とならない場合には、発光素子のメンテナンスを促す旨が出力される。これにより、ユーザは発光素子の寿命が来たことを認識することができる。
【００４８】
（６）経年劣化によって受光信号の強度の平均レベルが低下した場合、可変抵抗器１６ａの抵抗値を増加させることにより、定電流ＩＣ１８に印加される電圧が大きくなり、発光素子１５に供給されるバイアス電流が大きくなる。その結果、受光信号の強度の平均レベルが上昇し、受光素子２４に流れる電流が大きくなる。よって、可変抵抗器１６ａの抵抗値を調整して、バイアス電流を変化させることにより、受光素子２４に流れる電流を一定にすることができる。受光素子２４に流れる電流は受光信号の強度の平均レベルに比例するため、受光素子２４に流れる電流を一定にすることで、受光信号の強度の平均レベルを一定にすることができる。
【００４９】
（７）光ファイバ５１と金属線５２が一本の光ケーブル５０に収納されている。このため、光ファイバ５１と金属線５２とを個別に配線する場合と比べて、簡易な配線を実現することができる。
【００５０】
（第２実施形態）
＜２−１．第１実施形態との相違点＞
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００５１】
図３に示すように、第２実施形態に係る光送受信システム１００Ａは、光送信機１０Ａと光受信機２０Ａとを備える。前述した第１実施形態に係る光送信機１０は第１電源６０を備えていた。これに対し、第２実施形態に係る光送信機１０Ａは電源を備えていない点で、第１実施形態と相違する。第２実施形態では、光送信機１０Ａは、光受信機２０Ａから電源供給を受ける。以下、光送信機１０Ａ及び光受信機２０Ａの構成について、図３及び図４を参照して説明する。
【００５２】
光受信機２０Ａは、受光部２３と、第２増幅調整部２１と、受光レベル検出部２５と、第２電源７０と、増幅部２２と、変調部２７と、重畳部２８と、を備える。
第２電源７０は、第２増幅調整部２１に加えて、増幅部２２、変調部２７及び重畳部２８に接続されており、これらの各部へ直流電源を供給する。
【００５３】
増幅部２２は、受光レベル検出部２５に接続されており、受光レベル検出部２５から送信されたレベル信号を増幅する。変調部２７は、増幅部２２に接続されており、増幅部２２により増幅されたレベル信号を変調する。
【００５４】
重畳部２８は、第２電源７０から供給された直流電源を、変調部２７により変調されたレベル信号に重畳した重畳信号を生成し、生成した重畳信号を金属線５２を介して光送信機１０Ａへ送信する。すなわち、光受信機２０Ａから光送信機１０Ａへ、金属線５２を介して、受光信号の強度の平均レベル情報の送信とともに電源供給が行われる。
【００５５】
光送信機１０Ａは、第１増幅調整部１１と、発光部１３と、バイアス電流制御部１７と、復調部１２と、分離部１９と、選択スイッチ４０と、損失設定部４３と、出力部４５と、を備える。
【００５６】
図４に示すように、分離部１９は、コンデンサ１９ａとコイル１９ｂとを備える。コンデンサ１９ａ及びコイル１９ｂは、それぞれ第１端及び第２端を有する。コンデンサ１９ａ及びコイル１９ｂの第１端は、金属線５２に接続されている。コンデンサ１９ａの第２端は復調部１２に接続されている。コイル１９ｂの第２端はバイアス電流制御部１７及び第１増幅調整部１１に接続されている。
【００５７】
金属線５２を介して送信された重畳信号は、分離部１９によって直流電源と変調されたレベル信号とに分離さる。変調されたレベル信号は、コンデンサ１９ａを介して復調部１２に入力される。復調部１２は、レベル信号を復調し、復調したレベル信号をバイアス電流制御部１７へ出力する。直流電源は、コイル１９ｂを介してバイアス電流制御部１７及び第１増幅調整部１１に供給される。
【００５８】
＜２−２．効果＞
以上説明した第２実施形態によれば、前述した第１実施形態の効果（１）〜（７）に加え、以下の効果が得られる。
【００５９】
（８）光受信機２０Ａから光送信機１０Ａへ電源が供給されるため、光送信機１０Ａに外部電源に接続するコンセント及び電源を設けなくてもよい。また、増幅部２２によりレベル信号を増幅した後に、電源をレベル信号に重畳するため、レベル信号が電源に埋もれることがなく、レベル信号の時間変化を判別することができる。
【００６０】
（第３実施形態）
＜３−１．第２実施形態との相違点＞
第３実施形態は、基本的な構成は第２実施形態と同様であるため、共通する構成については説明を省略し、相違点を中心に説明する。なお、第２実施形態と同じ符号は、同一の構成を示すものであって、先行する説明を参照する。
【００６１】
図５に示すように、第３実施形態に係る光送受信システム１００Ｂは、光送信機１０Ａと光受信機２０Ｂとを備える。前述した第２実施形態に係る光受信機２０Ａは、第２電源７０を備えていた。これに対し、第３実施形態に係る光受信機２０Ｂは電源を備えていない点で、第２実施形態と相違する。第３実施形態では、光受信機２０Ｂは、テレビ２００から電源供給を受けるとともに、テレビ２００から供給された電源を光送信機１０Ａへ伝送する。以下、光受信機２０Ｂの構成について、図５及び図６を参照して説明する。
【００６２】
光受信機２０Ｂは、受光部２３と、第２増幅調整部２１と、受光レベル検出部２５と、増幅部２２と、変調部２７と、重畳部２８と、分離部２９と、を備える。
分離部２９は、コンデンサ２９ａとコイル２９ｂとを備える。コンデンサ２９ａ及びコイル２９ｂは、それぞれ第１端及び第２端を有する。コンデンサ２９ａ及びコイル２９ｂの第１端は、コネクタ及び同軸ケーブルを介してテレビ２００に接続されている。コンデンサ２９ａ第２端は、第２増幅調整部２１に接続されている。また、コイル２９ｂの第２端は、第２増幅調整部２１、増幅部２２、変調部２７及び重畳部２８に接続されている。
【００６３】
第２増幅調整部２１により増幅されたＲＦ信号は、コンデンサ２９ａを介してテレビ２００へ入力される。また、テレビ２００から出力された直流電源は、コイル２９ｂを介して、第２増幅調整部２１、増幅部２２、変調部２７、及び重畳部２８へ供給される。第２実施形態と同様に、重畳部２８は、テレビ２００からコイル２９ｂを介して供給された直流電源を、変調部２７により変調されたレベル信号に重畳した重畳信号を生成し、生成した重畳信号を金属線５２を介して光送信機１０Ａへ送信する。
【００６４】
＜３−２．効果＞
以上説明した第３実施形態によれば、前述した第１実施形態の効果（１）〜（８）に加え、以下の効果が得られる。
【００６５】
（９）テレビ２００から光受信機２０Ｂ及び光送信機１０Ａへ電源が供給されるため、光受信機２０Ｂ及び光送信機１０Ａに、外部電源に接続するコンセント及び電源を設けなくてもよい。
【００６６】
（他の実施形態）
以上、本開示を実施するための形態について説明したが、本開示は上述の実施形態に限定されることなく、種々変形して実施することができる。
【００６７】
（ａ）上記各実施形態では、光送信機１０，１０Ａが、選択スイッチ４０を備えていたが、本開示はこれに限定されるものではない。光送信機１０，１０Ａは、選択スイッチ４０を備えていなくてもよい。バイアス電流制御部１７が、光送信機１０，１０Ａの使用状況に応じて、出力制御モード及び受光制御モードのうちの何れかを選択して実行してもよい。例えば、バイアス電流制御部１７は、光送信機１０，１０Ａの使用時間の積算値が所定値を超えるまでは、キャリアノイズ比を一定に維持する受光制御モードを選択し、使用時間の積算値が所定値を超えた場合には、発光素子１５の寿命の時期を精度良く判定可能な出力制御モードを選択してもよい。
【００６８】
（ｂ）上記各実施形態では、光ファイバ５１と金属線５２とが一本の光ケーブル５０に収納されていたが、光ファイバ５１と金属線５２は一本にまとめられていなくてもよい。すなわち、光ファイバ５１と金属線５２は個別に配線してもよい。
【００６９】
（ｃ）光ファイバ５１は、例えば、グラスオプティカルファイバ（ＧｏＦ）やプラスチックオプティカルファイバ（ＰｏＦ）が用いられる。
（ｄ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【００７０】
１０…光送信機、１０Ａ…光送信機、１１…第１増幅調整部、１２…復調部、１３…発光部、１４…混合器、１４ａ…コンデンサ、１４ｂ…コイル、１５…発光素子、１６ａ…可変抵抗器、１６ｂ…抵抗器、１７…バイアス電流制御部、１８…定電流ＩＣ、１８ａ…回路出力端子、１８ｂ…回路入力端子、１９…分離部、１９ａ…コンデンサ、１９ｂ…コイル、２０…光受信機、２０Ａ…光受信機、２０Ｂ…光受信機、２１…第２増幅調整部、２２…増幅部、２３…受光部、２４…受光素子、２５…受光レベル検出部、２６…検出コイル、２７…変調部、２８…重畳部、２９…分離部、２９ａ…コンデンサ、２９ｂ…コイル、３０…入力端子、４０…選択スイッチ、４３…損失設定部、４５…出力部、５０…光ケーブル、５１…光ファイバ、５２…金属線、６０…第１電源、７０…第２電源、８０…出力端子、１００…光送受信システム、１００Ａ…光送受信システム、１００Ｂ…光送受信システム、２００…テレビ、Ｐ…接続点。
【図１】
2020077987.tif 000003
【図２】
2020077987.tif 000004
【図３】
2020077987.tif 000005
【図４】
2020077987.tif 000006
【図５】
2020077987.tif 000007
【図６】
2020077987.tif 000008